(57)【要約】  ごみを保持したブラシからごみを除去するための装置であって、ブラシ開口部及び排出開口部を有する筐体と、掃除要素のアレイを有するごみ除去部と、受動ごみ収集手段とを備え、実質的に水及び洗浄液が存在しない乾燥した環境において、前記ごみ除去部は、回転することにより、前記掃除要素のアレイがごみを、前記ブラシ開口部を介して前記装置内に挿入され、前記掃除要素のアレイと接触した前記ごみを保持したブラシから除去し、前記ごみ除去部の回転により、前記掃除要素のアレイは、前記受動ごみ収集手段に向かって空気流を誘起し、前記空気流は、除去されたごみの少なくとも一部を捕捉し巻き込み、巻き込まれた前記ごみは、前記受動ごみ収集手段に堆積される。
2021518239.tif 000002
【特許請求の範囲】
【請求項１】
ごみを保持したブラシからごみを除去するための装置であって、
前記装置は、ブラシ開口部及び排出開口部を有する筐体と、掃除要素のアレイを有するごみ除去部と、受動ごみ収集手段とを備え、
実質的に水及び洗浄液が存在しない乾燥した環境において、
前記ごみ除去部は、回転することにより、前記掃除要素のアレイがごみを、前記ブラシ開口部を介して前記装置内に挿入され、前記掃除要素のアレイと接触した前記ごみを保持したブラシから除去し、
前記ごみ除去部の回転により、前記掃除要素のアレイは、前記受動ごみ収集手段に向かって流れる空気流を誘起し、
前記空気流は、除去されたごみの少なくとも一部を捕捉し巻き込み、
巻き込まれた前記ごみは、前記受動ごみ収集手段に堆積される、
装置。
【請求項２】
前記受動ごみ収集手段は、誘起された前記空気流の経路内に少なくとも部分的に配置されたバッフルをさらに備える、請求項１に記載の装置。
【請求項３】
前記掃除要素は、ブラシ毛、歯状部、巻きひげ状部、スクラバー、ワイパー、及びスクレーパーのうち１つ以上を備える、上記請求項のうち一項に記載の装置。
【請求項４】
ブラシが挿入される際に前記ごみ除去部の回転を選択的に開始させ、前記ブラシが取り外される際に前記ごみ除去部の回転を停止させるように構成されたセンサをさらに備える、上記請求項のうち一項に記載の装置。
【請求項５】
前記ごみ除去部は、本体と、チャネルとをさらに備え、
前記掃除要素のアレイは、前記本体から延び、
前記チャネルは、前記本体の表面に形成され、前記掃除要素のアレイのうちの任意の２つの間に延び、
前記チャネルは、切断器具が前記チャネルを通り、前記掃除要素のアレイ内に捕捉された任意の繊維状のごみ、及び／又は前記本体に巻き付いた任意の繊維状のごみを切断することを可能にするように構成される、上記請求項のうち一項に記載の装置。
【請求項６】
前記筐体は、巻き込まれたごみが前記排出開口部を通って前記装置を出ることを防止する手段をさらに備える、上記請求項のうち一項に記載の装置。
【請求項７】
前記受動ごみ収集手段は、前記受動ごみ収集手段に堆積されたごみを捕捉するための取り外し可能な容器を備える、上記請求項のうち一項に記載の装置。
【発明の詳細な説明】
【発明の詳細な説明】
【０００１】
〔優先権出願〕
本出願は、２０１８年３月１４日に出願されたオーストラリア仮出願第２０１８９００８３６号に基づく優先権を主張し、その全体が参照により本明細書に組み込まれる。
【０００２】
〔技術分野〕
本発明は、ヘアケア器具の掃除の分野に関するものであり、より詳細には、捕捉されたごみ及び他の汚染物質のブラシを掃除する分野に関する。
【０００３】
〔背景技術〕
理美容業界では、使用したヘアブラシを次の使用の前に、２工程のプロセスを用いて掃除することが、顧客満足と衛生との両方のために必要である。「ごみ除去」工程と呼称される第１の工程は、毛、埃、及び他のごみをブラシ毛から除去することを含む。第２の工程は、「掃除及び消毒」工程において、ブラシを掃除すること、理想的には石けん温水又は同様の洗浄液を用いて掃除すること、を含む。ブラシをいったん乾燥すると、その後、次の顧客に使用することが出来る。しかしながら、ヘアブラシの迅速且つ効率的な掃除には、多くの問題がある。たとえば、ヘアサロンは頻繁にスタイリングブラシを使用し、そのブラシ毛は、顧客の毛及び頭皮のごみですぐに詰まる。これにより、掃除プロセスにおける第一の「ごみ除去」工程は、困難で且つ時間を要する工程となる。
【０００４】
他の業界においても、様々な形態のブラシが利用されている。これらのブラシには、人と接触することがなく、消毒を必要としないものもあるが、ブラシ毛、たとえば、掃除機ローラー、掃除用ブラシ、並びに種々の産業施設の機械に採用され得るワイヤブラシ及びダストブラシのブラシ毛に捕捉されたごみは、やはり除去する必要がある。
【０００５】
既存の技術はブラシ器具の掃除メカニズムを提供しようとしてきたが、現在のところ、ブラシからごみを除去することを容易にし、且つ、ごみの収集及び処理も容易にする方法は存在しない。結果として、ブラシを掃除し、廃棄物を収集するための現在のメカニズムは、掃除用ブラシ毛から手動で梳いて毛を除去すること、又は従来技術の装置を用いてヘアブラシを掃除することを含み得る。
【０００６】
現存するブラシ掃除技術の多くは、ヘアブラシを掃除するために液体又は水溶液を使用する。また、ある技術では、効率性を改善するためにブラシ掃除の第１の工程及び第２の工程を組み合わせようと試みている。しかしながら、このような技術には特有の問題がある。特にヘアブラシの場合、何らかのヘア製品が以前に髪の毛に使用されていた場合に、湿ったごみがブラシ毛の周りで「塊」になりやすいか、又は凝集しやすい。その結果、組み合わせた掃除技術は、掃除プロセス全体をより困難にするとともに、ごみの除去にあまり成功しない傾向がある。
【０００７】
ドライ運転（ｄｒｙ−ｏｐｅｒａｔｉｎｇ）システムは公知である。しかしながら、このようなシステムは、多くの場合、ヘアブラシのごみを集めるために、サイズが大きく扱いにくく、高電力消費量のバキュームアタッチメント又は吸引アタッチメントを必要とする。また、これらの装置はしばしば大きな音を立てるか、サイズが大きいか、又は常時電源を必要とするため、サロンにおける効果的な使用は限られている。
【０００８】
したがって、本発明の目的の一つは、従来技術に固有の問題を改善するか又は無くし、ブラシからごみを除去するためのより衛生的、より迅速、且つより効率的な解決策を提供し、それによって掃除プロセスの迅速な完了を可能にすることである。
【０００９】
〔発明の開示〕
本発明は、広範囲の第１の態様において、ごみを保持したブラシからごみを除去するための装置であって、ブラシ開口部及び排出開口部を有する筐体と、掃除要素のアレイを有するごみ除去部と、受動ごみ収集手段とを備え、実質的に水及び洗浄液が存在しない乾燥した環境において、前記ごみ除去部は、回転することにより、前記掃除要素のアレイがごみを、前記ブラシ開口部を介して前記装置内に挿入され、前記掃除要素のアレイと接触した前記ごみを保持したブラシから除去し、前記ごみ除去部の回転により、前記掃除要素のアレイは、前記受動ごみ収集手段に向かって空気流を誘起し、前記空気流は、除去されたごみの少なくとも一部を捕捉し巻き込み、巻き込まれた前記ごみは、前記受動ごみ収集手段に堆積される、装置を含む。一実施形態において、前記受動ごみ収集手段は、誘起された前記空気流の経路内に配置されたバッフルをさらに備える。
【００１０】
一実施形態において、前記掃除要素は、ブラシ毛（ｂｒｉｓｔｌｅｓ）、歯状部（ｔｅｅｔｈ）、巻きひげ状部（ｔｅｎｄｒｉｌｓ）、スクラバー（ｓｃｒｕｂｂｅｒｓ）、ワイパー（ｗｉｐｅｒｓ）、及びスクレーパー（ｓｃｒａｐｅｒｓ）のうち１つ以上を備える。
【００１１】
一実施形態において、前記装置は、ブラシが挿入される際に前記ごみ除去部の回転を選択的に開始させ、前記ブラシが取り外される際に前記ごみ除去部の回転を停止させるように構成されたセンサをさらに備える。
【００１２】
一実施形態において、前記ごみ除去部は、本体と、チャネルとをさらに備え、前記掃除要素のアレイは、前記本体から延び、前記チャネルは、前記本体の表面に形成され、前記掃除要素のアレイのうちの任意の２つの間に延び、前記チャネルは、切断器具が前記チャネルを通り、前記掃除要素のアレイ内に捕捉された任意の繊維状のごみ、及び／又は前記本体に巻き付いた任意の繊維状のごみを切断することを可能にするように構成される。
【００１３】
一実施形態において、前記筐体は、巻き込まれたごみが前記排出開口部を通って前記装置を出ることを防止する手段をさらに備える。
【００１４】
一実施形態において、前記受動ごみ収集手段は、前記受動ごみ収集手段に堆積されたごみを捕捉するための取り外し可能な容器を備える。
【００１５】
〔図面の説明〕
本発明の理解及び実施を助けるために、以下の添付図面を参照する。
【００１６】
図１は、本発明の一実施形態の断面図を表す。
【００１７】
図２は、図１に示される実施形態を示す断面側面図を表し、装置を通る空気流経路を示す。
【００１８】
図３Ａ、図３Ｂは、本発明のごみ除去部の２つの実施形態を表す。
【００１９】
図４は、取り外し可能なごみ除去部を表す。
【００２０】
図５は、ごみ収集容器が取り外し可能である、本発明の一実施形態を表す。
【００２１】
図６は、センサを備える本発明のさらなる実施形態を表す。
【００２２】
〔定義〕
本明細書の文脈において、「ブラシ」とは、ヘアブラシに限定されるものではなく、使用することができ、その後、ごみを収容及び／又は捕捉し得る任意のブラシを意味すると理解されるべきである。
【００２３】
本明細書の文脈において、「ごみ」とは、ブラシのブラシ毛に捕捉、堆積、又は他の方法で保持される任意の軽量な不要物質を意味すると理解されるべきである。これは、以下のものを含むがこれらに限定されない：毛髪、乾燥したシャンプー又はヘアスプレー等のヘアケア製品、皮膚片、泥、埃、垢及び／又は油、又はブラシの使用中にブラシに移り得る任意の他の汚染物質。
【００２４】
〔好ましい実施形態の詳細な説明〕
図１に示すように、一態様において、本発明は、ブラシ開口部１２０及び排出開口部１３０を有する筐体１１０と、少なくとも１つの回転式のごみ除去部１４０と、少なくとも１つの受動ごみ収集手段１５０とを備える装置１００である。ごみ除去部１４０は、掃除要素１６０のアレイを含む。使用時には、ごみ除去部１４０は軸の周りを回転し、ごみを保持したブラシ（図示せず）が動いている掃除要素１６０に接触させられる。掃除要素１６０は、ブラシからごみを除去するように作用する。一実施形態において、ブラシ開口部１２０は、開口部スカート１７０をさらに備えてもよい。開口部スカート１７０は、ブラシ開口部１２０の内周を沿う可撓性のスカートフラップのアレイである。当該スカートフラップのアレイは、ブラシの挿入及び／又は取出しを可能にするが、ごみ等のより軽い粒子状物質が逆流してブラシ開口部１２０から出ることを少なくとも部分的に抑制する。
【００２５】
一実施形態において、図２に示すように、掃除要素１６０は、ごみ除去部１４０の回転時に、掃除要素１６０の動きが空気流２００を誘起するか又は発生させるように構成される。当該空気流２００は、通常、受動ごみ収集手段１５０に向けられる。ごみ除去部１４０の回転及びその結果生じる掃除要素１６０の動きによって、空気がブラシ開口部１２０を通して吸引され、排出開口部１３０に向かって押し出されると理解されるが、本発明の範囲はこの理論を制限されない。さらに、少なくとも本実施形態において、誘起された（又は発生した）流動空気２００は、遊離したごみ及び／又は除去されたごみのキャリアとして働き得ることが理解される。これにより、除去されたごみをブラシからごみ収集手段１５０に向かって搬送することが可能になり、その際、実質的にすべての当該ごみが流動空気２００から解放され、そこに捕捉される。これは、解放されたごみ２１０ａ及び堆積したごみ２１０ｂによって示されている。その後、流動空気は、排出開口部１３０を通過することによって、装置１００から出る。さらなる実施形態において、排出開口部１３０は、巻き込まれたごみが排出開口部１３０を通って装置１００から出ることを防止するための保持手段２２０を備えてもよい。保持手段２２０は、たとえば、メッシュ、グリッド、又はその他の、移動する空気の流れを過度に阻害することなく固体の移動を制限する手段である。さらなる実施形態において、装置１００は、空気流の発生を増加させるように作用し得る複数の回転式のごみ除去部１４０を備えてもよい。
【００２６】
少なくとも本発明の本実施形態において、ごみ除去部１４０の回転、及び、その結果生じる掃除要素１６０の円運動は、遊離したごみ及び／又は除去されたごみの大部分を捕捉するために十分な空気流２００を発生させることができることが理解される。本発明の装置１００をより大きなブラシに適用させた場合でも、追加の回転式のごみ除去部１４０を用いることにより充分な空気流２００を得ることができると考えられ、本発明のある実施形態はバキューム手段又はファン等の追加の空気流発生源を必要としないと考えられる。
【００２７】
誘起された空気の流れである、正の空気流を発生させることは、吸引又はバキューム手段を用いる従来技術のブラシごみ除去装置と比べ、大きな利点を提供し得る。バキューム手段は、一般的には非常に高いレベルの電力を必要とし、また、バキューム源の閉塞を防止するための複雑な濾過手段を必要とする。バキューム手段はまた、減圧状態を成す陰圧を発生させるために外部機械を必要とする。一方、本発明が提供する手段は、ごみを捕捉し、巻き込み、ごみ収集手段１５０内に堆積させる空気流２００を誘起するために、追加の電力をほとんど使用せず、追加の機械を全く使用しない。
【００２８】
本発明の装置１００は、バキューム手段の代わりに別の空気流発生装置を用いる従来技術のブラシ掃除装置と比べても、同様の利点を提供することができる。空気流発生装置は、空気流を発生させるために、追加の電力、及び、少なくとも１つのポンプ又はファンを必要とする。このため、従来技術の装置１００にさらなる構造的要件が課され、また、構造及びメンテナンスの複雑さが増す。一方、本発明のある実施形態は、回転式のごみ除去部１４０の動作に用いる電力以外の追加の電力を必要とせず、追加の可動部分により構造及びメンテナンスの複雑さが増すことがない。
【００２９】
当業者には理解されるように、ブラシの掃除（具体的にヘアブラシの掃除）は、２工程のプロセスである。第１の工程はごみを除去する工程であり、第２の工程は溶液及び／又は消毒剤を用いて掃除する工程である。本発明はさらに、少なくともブラシからごみを除去する工程について、水、洗浄液、若しくは他の化学薬品を必要とせず、又は使用せず、実質的に乾燥した環境で動作するように構成される。これにより、堆積されたごみを収集手段から掃除及び除去することが単純化されるため、ごみ除去工程のときに水又は洗浄液を用いる従来技術の方法と比べて有利であると考えられる。ごみ除去工程のときに水又は洗浄液を用いる従来技術のシステムでは、人の毛髪に一般的に捕捉され、その後、当該毛髪のブラッシングに使用されるブラシに捕捉されるごみが水と接触すると、油性膜、粘着性の塊若しくはゲル、又はその他の不快な粘液性の残留物が形成され得、従来技術の装置１００から除去する必要があることが、当業者には理解されるであろう。
【００３０】
ごみの除去が、定期的に行われる掃除工程のみである場合（「湿った状態の」第２の掃除工程がより低い頻度で行われる場合）、本発明は、「湿った状態の」第２の掃除工程が行われるときを除いて、乾燥を実質的に必要としないというさらなる利点を提供する。あるいは、「湿った状態の」掃除（例えば、洗浄液、消毒剤、又は石けん温水を用いる掃除）が定期的に行われる場合には、溶液中に浸漬する前に大部分のごみを除去することによって、洗浄液又は他の液体が急速に汚染されることが防止される。
【００３１】
流動空気が分散するにつれて、流動空気から少なくとも部分的にごみが解放され得ることが理解されるが、本発明の範囲はこれに限定されない。より重いごみ（例えば、毛髪、並びに凝固した埃及び／又は油）は、流動空気中に浮いている状態から自然に出得る。一方、埃等のより軽いごみは、動いている空気によってかなりの距離を運ばれ得ることが理解される。したがって、本発明の少なくとも１つの実施形態において、受動ごみ収集手段１５０は、誘起された空気流の経路内に配置されているか、又は少なくとも当該経路に沿って配置されているバッフル２３０、２３０をさらに備えてもよい。一実施形態において、バッフル２３０は、空気流が運ばれているごみを開放することを誘起するように助けるように位置するか、成形されるか、配置されるか、又は適用される。これは、ごみが脱するための経路を提供するために圧力差を誘起することによるものであってもよい。あるいは、空気流内に抗力を生じさせるように適用された縁部、湾曲部、点、角部、又は他の面を設けて、巻き込まれている又は運ばれているごみの解放を促進することによるものであってもよい。あるいは、捕捉されたごみの解放は、バッフル２３０が流動空気の乱れを誘起することによるものであってもよい。いくつかの実施形態において、バッフル２３０は筐体１１０と一体的であってもよい。他の実施形態において、バッフル２３０は別個の要素であってもよく、さらに取り外し可能であってもよい。
【００３２】
図３Ａ及び図３Ｂを参照すると、本発明の一実施形態において、ごみ除去部１４０は、その軸の周りを回転する本体３００を備えてもよく、又は実質的に備えてもよい。図３Ａ及び図３Ｂに示すように、掃除要素１６０は、本体３００の表面上の複数の突出部３１０から、本体３００から外向きに放射状に延びていてもよい。別の実施形態（図示せず）において、掃除要素１６０は、本体３００から、直接外向きに延びていてもよい。
【００３３】
掃除要素１６０のアレイは、ごみ除去部１４０の本体３００から略垂直に外向きに放射状に延びているように図示されているが、掃除要素１６０の配置がなお空気流を誘起するか又は発生させることができるものであれば、掃除要素１６０は、本発明の範囲又は目的から逸脱することなく、垂直から離れた角度で外向きに放射状に延びていてもよいことを当業者は理解するであろう。
【００３４】
本発明の一実施形態において、掃除要素１６０は、ブラシ毛（ｂｒｉｓｔｌｅｓ）、歯状部（ｔｅｅｔｈ）、巻きひげ状部（ｔｅｎｄｒｉｌｓ）、スクラバー（ｓｃｒｕｂｂｅｒｓ）、ワイパー（ｗｉｐｅｒｓ）、又はスクレーパー（ｓｃｒａｐｅｒｓ）のうち１つ以上を備えてもよい。図に示される実施形態は、ブラシ毛を備える複数の掃除要素１６０を有する回転式のごみ除去部１４０を備えるが、これはあくまで例示のためであり、掃除要素１６０は他の形態を備えてもよいことを理解されたい。本発明のいくつかの実施形態において、掃除要素１６０は剛性のものであってもよい。別の実施形態において、掃除要素１６０は可撓性のものであってもよく、ばね性、弾性的な可撓性であってもよく、又は限定的なばね性を有してもよい。図１に示すように、掃除要素１６０のアレイは、ごみ除去部１４０の長さに沿って延びる複数の列に配置されてもよい。なお、当業者には理解されるように、図中の掃除要素１６０の配置の描写は、例示的なものに過ぎない。別の実施形態において、掃除要素１６０の配置が、図２に示されるように空気流２００をなお発生させるか又は誘起することができるものであれば、掃除要素１６０は、本発明の範囲又は目的から逸脱することなく、コイル状、円状、螺旋状、散在、又は任意の他のパターンで配置されてもよい。
【００３５】
当業者には理解されるように、ごみ除去部１４０によってブラシから引き離された、又は、そうでなくとも除去された繊維状のごみは、ごみ除去部１４０の周りに巻き付き得るか、又は掃除要素１６０内に捕捉され得る。図３Ａ及び図３Ｂを参照すると、本発明の一実施形態において、２つの隣り合う突出部３１０の間にチャネル３２０が形成されていてもよい。別の実施形態において、チャネル３２０は、本体３００の表面に成形され、掃除要素１６０のアレイのうちの任意の２つの間に延びていてもよい。いずれの実施形態においても、チャネル３２０は、かみそり、ナイフ、又ははさみ等の切断器具がチャネル３２０を横切り、掃除要素１６０のアレイ内に捕捉された繊維状のごみ、及び／又は本体３００に巻き付いた繊維状のごみを切断することを可能にするように成形されていてもよい。
【００３６】
図４を参照すると、本発明の少なくとも１つの実施形態において、装置１００は、ごみ除去部１４０が取り外し可能に取り付けられ得る軸４００をさらに備えてもよい。ごみ除去部１４０が取り外し可能であることにより、ごみ除去部１４０及び／又はそこから延びる掃除要素１６０の掃除を容易にし得るか、又はごみ除去部１４０の交換を容易にし得る。
【００３７】
図に示されるように、本発明の一実施形態において、ごみ収集手段１５０は、ごみを捕捉するように成形された、又は構成されたごみ収集容器を、装置１００の筐体１１０内に備えてもよい。装置１００がバッフル２３０を備える本発明の一実施形態において、バッフル２３０は、ごみ収集容器の壁、又はその一部を形成してもよい。
【００３８】
さらなる実施形態において、ごみ収集手段１５０は、収集されたごみがごみ収集手段１５０から出て筐体１１０の掃除領域に戻ることを阻止、防止、又は少なくとも制限するように適用された少なくとも１つの逆流防止手段をさらに備えてもよい。少なくとも１つの実施形態において、図に示すように、流動空気からごみを解放することを助けるバッフル２３０は、逆流防止手段も形成するようにも配置されてもよい。別の実施形態（図示せず）において、逆流防止手段は別個の、又は追加の内部構造であってもよい。
【００３９】
図５を参照すると、本発明のさらなる実施形態において、装置１００は、少なくともブラシ開口部１２０及びごみ除去部１４０を備えるベースユニット５００と、ごみ収集容器を収容する取り外し可能なケース５１０とを備えてもよい。ベースユニット５００は、ケースキャッチ５２０を備えてもよく、当該ケースキャッチ５２０は、作動すると、取り外し可能なケース５１０を解放し、その取り外しが可能になる。図５に示す実施形態において、排出開口部１３０も取り外し可能なケース５１０に組み込まれているが、本発明の範囲又は目的から逸脱することなく、ベースユニット５００は、排出開口部１３０を備えるように成形され得ることを当業者は理解する。
【００４０】
本発明の他の実施形態において、ごみ収集手段１５０は、ごみが空気流から解放される際に、当該ごみがブラシごみ除去装置から実質的に出ることができる排出口を備えてもよい。さらなる実施形態において、排出口は、ホース、パイプ、又はごみを収集するためのさらなる容器に接続していてもよい。
【００４１】
本発明の一実施形態において、装置１００は、少なくとも１つのセンサ６００をさらに備えてもよい。センサ６００は、ブラシがブラシ開口部１２０に挿入されたことを検出すると、ごみ除去部１４０の回転を開始させるように適用されてもよい。センサ６００は、ブラシがブラシ開口部１２０から取り外されたことを検出すると、ごみ除去部１４０を停止させるように適用されてもよい。さらなる実施形態において、センサ６００は、ブラシが挿入される際にごみ除去部１４０を作動させるとともに、ブラシが取り外される際にごみ除去部１４０を停止させるように構成されてもよい。図６では、センサ６００がブラシ開口部１２０の近傍にあるように示されているが、この位置はあくまで例示的なものであり、センサ６００は、ブラシの挿入及び／又は取外しをなお感知することができれば、装置１００内の他の場所に位置してもよいことを当業者は理解するであろう。
【００４２】
理美容サロンの環境における使用が例示されているが、本発明の機能は決してこれに限定されないと理解されるべきである。本発明のある実施形態は、ブラシの掃除のための多様な産業における使用に適用されてもよい。非限定的な例として、本発明は、掃除機に含まれるローラーブラシ、及び、ごみを捕捉し、掃除を必要とし得る多くの他の形態のブラシの掃除に非常に適していると考えられる。
【００４３】
上記の好ましい実施形態を参照して本発明を説明したが、本発明はそれらの実施形態に限定されず、具体的に説明された実施形態以外の、多くの他の形態、変形、及び変更によって実施されてもよいことを当業者は理解するであろう。本発明は、そのような変形及び変更のすべてを包含する。また、本発明は、本明細書において言及されている又は示唆されている工程、特徴、構成要素、及び／又は装置のすべてを、個別に、又は一括して包含し、工程又は特徴の任意の２つ以上のいかなる組み合わせも包含する。
【００４４】
本明細書において、文脈が明確に示す場合を除いて、「備えている・含んでいる（ｃｏｍｐｒｉｓｉｎｇ）」という語は、「のみからなる」等の排他的な意味を有することが意図されるものではなく、「少なくとも含む」という意味の、非排他的な意味を有することが意図される。また、「備える・含む（ｃｏｍｐｒｉｓｅ）」等の、対応する文法的に変形した他の形態についても同様である。
【００４５】
本明細書で使用される選択された用語の他の定義は、本発明の詳細な説明に記載され得、本明細書全体にわたって適用される。別段の定義がない限り、本明細書で使用される他の科学用語及び技術用語はすべて、本発明が属する技術分野の当業者に一般的に理解されるものと同じ意味を有する。
【００４６】
本明細書においてなされるいかなる保証も、本発明のいくつかの実施形態に関連するものと理解されるべきであり、本発明のすべての実施形態についてなされた保証であることが意図されるものではない。本発明のすべての実施形態に適用されるとみなされる保証がある場合は、出願人／特許権者は、後に本明細書からそれらを削除する権利を留保する。何れの国においても、特許の査定又はその後の付与に関して、そのような保証に依存するものではない。
【図面の簡単な説明】
【００４７】
【図１】図１は、本発明の一実施形態の断面図を表す。
【図２】図２は、図１に示される実施形態を示す断面側面図を表し、装置を通る空気流経路を示す。
【図３Ａ】図３Ａ、図３Ｂは、本発明のごみ除去部の２つの実施形態を表す。
【図３Ｂ】図３Ａ、図３Ｂは、本発明のごみ除去部の２つの実施形態を表す。
【図４】図４は、取り外し可能なごみ除去部を表す。
【図５】図５は、ごみ収集容器が取り外し可能である、本発明の一実施形態を表す。
【図６】図６は、センサを備える本発明のさらなる実施形態を表す。
【図１】
2021518239.tif 000003
【図２】
2021518239.tif 000004
【図３Ａ】
2021518239.tif 000005
【図３Ｂ】
2021518239.tif 000006
【図４】
2021518239.tif 000007
【図５】
2021518239.tif 000008
【図６】
2021518239.tif 000009
【国際調査報告】
2021518239.tif 000010
2021518239.tif 000011
2021518239.tif 000012